(57)【要約】【課題】外周基礎から基礎パッキンまでを隙間なく断熱することを可能にする。【解決手段】建物の断熱構造１００は、建築物を支持する外周基礎１０４と、外周基礎１０４上に設置された基礎パッキン１１０と、基礎パッキン１１０上に設置された土台１２０と、外周基礎１０４の屋外側の側面１０４ａを覆う基礎断熱材１０６と、基礎パッキン１１０の屋外側の側面１１０ａを覆う柔軟性を有するパッキン断熱材３とを含む。パッキン断熱材３は、基礎パッキン１１０の側面１１０ａ及び蟻返し部材１０を介して基礎断熱材１０６の上面１０６ｂに押圧変形された状態で設置されている。【選択図】図２
2017172181.tif 000002
【特許請求の範囲】
【請求項１】
建築物を支持する外周基礎と、前記外周基礎上に設置された土台とを備えた建物の断熱構造であって、
前記外周基礎の屋外側又は屋内側の側面を覆う基礎断熱材と、
前記基礎断熱材と前記土台との間を覆う柔軟性を有する補助断熱材とを有し、
前記補助断熱材は、前記基礎断熱材と前記土台との間に押圧変形された状態で設置されていることを特徴とする建物の断熱構造。
【請求項２】
建築物を支持する外周基礎と、前記外周基礎上に設置された基礎パッキンと、前記基礎パッキン上に設置された土台とを備えた建物の断熱構造であって、
前記外周基礎の屋外側又は屋内側の側面を覆う基礎断熱材と、
前記基礎パッキンの屋外側又は屋内側の側面を覆う柔軟性を有するパッキン断熱材とを有し、
前記パッキン断熱材は、前記基礎パッキンの前記側面及び前記基礎断熱材の上面に押圧変形された状態で設置されていることを特徴とする建物の断熱構造。
【請求項３】
建築物を支持する外周基礎と、前記外周基礎上に設置された基礎パッキンと、前記基礎パッキン上に設置された土台とを備えた建物の断熱構造であって、
前記外周基礎の屋外側の側面を覆う基礎断熱材と、
前記基礎パッキンの屋外側の側面を覆う柔軟性を有するパッキン断熱材と、
前記土台の屋外側の側面に取付けられ、水切り材を取り付けるための取付部材とを有し、
前記パッキン断熱材は、前記取付部材の下面に押圧されることによって前記基礎パッキンの前記側面及び前記基礎断熱材の上面に押圧変形された状態で設置されていることを特徴とする建物の断熱構造。
【請求項４】
建築物を支持する外周基礎と、前記外周基礎上に設置された基礎パッキンと、前記基礎パッキン上に設置された土台とを備えた建物の断熱構造であって、
前記外周基礎の屋外側又は屋内側の側面を覆う基礎断熱材と、
前記基礎パッキンの屋外側又は屋内側の側面を覆う柔軟性を有するパッキン断熱材と、
前記外周基礎の上面及び前記基礎断熱材の上面を覆って接着され、先端が前記基礎断熱材の上面端部から突出する蟻返し部材とを有し、
前記パッキン断熱材は、前記基礎パッキンの前記側面及び前記蟻返し部材の上面に押圧変形された状態で設置されていることを特徴とする建物の断熱構造。
【請求項５】
建築物を支持する外周基礎と、前記外周基礎上に設置された基礎パッキンと、前記基礎パッキン上に設置された土台とを備えた建物の断熱構造であって、
前記外周基礎の屋外側の側面を覆う基礎断熱材と、
前記基礎パッキンの屋外側の側面を覆う柔軟性を有するパッキン断熱材と、
前記土台の屋外側の側面に取付けられ、水切り材を取り付けるための取付部材と、
前記外周基礎の上面及び前記基礎断熱材の上面を覆って接着され、先端が前記基礎断熱材の上面端部から突出する蟻返し部材とを有し、
前記パッキン断熱材は、前記取付部材の下面に押圧されることによって前記基礎パッキンの前記側面及び前記蟻返し部材の上面に押圧変形された状態で設置されていることを特徴とする建物の断熱構造。
【請求項６】
前記パッキン断熱材は、袋状部材と、前記袋状部材に収容されたグラスウールとで構成されていることを特徴とする請求項２〜５のいずれか１項に記載の建物の断熱構造。
【請求項７】
前記基礎パッキンは、前記パッキン断熱材側の側面に凹凸が形成されていることを特徴とする請求項２〜６のいずれか１項に記載の建物の断熱構造。
【請求項８】
土台の屋外側又は屋内側の側面に取付けられる取付片、及び、前記取付片の下端から前記取付片と交差する方向であって前記土台から離れる方向に延出し、断熱材を押圧するための押圧片を有していることを特徴とする留め付け具。
【請求項９】
前記押圧片の先端から下方に延出するカバー片をさらに有していることを特徴とする請求項８に記載の留め付け具。
【請求項１０】
前記押圧片の下面には、柔軟性を有する前記断熱材が取り付けられており、
前記断熱材は、その一部が前記取付片よりも前記離れる方向とは反対方向に突出していることを特徴とする請求項８又は９に記載の留め付け具。
【請求項１１】
前記押圧片の下面には、柔軟性を有する前記断熱材が取り付けられており、
前記断熱材は、その一部が前記取付片よりも前記離れる方向とは反対方向に突出し、且つ下端が前記カバー片の下端よりも下方に配置されていることを特徴とする請求項９に記載の留め付け具。
【請求項１２】
前記断熱材は、袋状部材と、前記袋状部材に収容されたグラスウールとで構成されていることを特徴とする請求項１０又は１１に記載の留め付け具。
【発明の詳細な説明】
【技術分野】
【０００１】
本発明は、外周基礎及び外周基礎上に設置された基礎パッキン付近の建物の断熱構造、及び、これに用いる断熱材の留め付け具に関する。
【背景技術】
【０００２】
床断熱に替わる断熱技術として基礎断熱工法がある。基礎断熱工法は、床下に断熱材を施工せず、建物の外周に面した基礎の立ち上がりに板状の断熱材を施工する断熱工法であり、床下換気を行わないために基礎上、土台下には気密性タイプの基礎パッキンが敷き詰められる。
【０００３】
近年、上記の基礎断熱工法においては、基礎上に敷き詰められた基礎パッキンの側面に断熱材を取り付けることで、断熱性を向上させることが知られている（特許文献１参照）。
【先行技術文献】
【特許文献】
【０００４】
【特許文献１】特開２０１３−２９０１９号公報
【発明の概要】
【発明が解決しようとする課題】
【０００５】
上記特許文献１に記載の技術においては、基礎パッキンの側面に断熱材を取付けているだけであるため、基礎の上面に不陸があると、基礎パッキンの下面側に隙間が生じ、十分な断熱効果が得られない虞がある。
【０００６】
そこで、本発明の目的は、外周基礎から基礎パッキンまでを隙間なく断熱することが可能な建物の断熱構造、及び、これに用いる留め付け具を提供することである。
【課題を解決するための手段】
【０００７】
本発明の建物の断熱構造は、第１の観点では、建築物を支持する外周基礎と、前記外周基礎上に設置された土台とを備えた建物の断熱構造であって、前記外周基礎の屋外側又は屋内側の側面を覆う基礎断熱材と、前記基礎断熱材と前記土台との間を覆う柔軟性を有する補助断熱材とを有し、前記補助断熱材は、前記基礎断熱材と前記土台との間に押圧変形された状態で設置されている。
【０００８】
本発明において、外周基礎と土台との間に基礎パッキンが設置されていてもよい。また、基礎断熱材上に板状の蟻返し部材が配置されていてもよい。
【０００９】
これによると、補助断熱材が柔軟性を有し、基礎断熱材と土台との間に押圧変形された状態で設置されるため、外周基礎から土台までの間を外周基礎の全周にわたって隙間なく連続的に断熱することが可能となる。仮に、基礎断熱材が外周基礎の上面よりも上方に突出して設けられていたとしても、外周基礎と土台との間の隙間を効果的に覆うことができ、外周基礎から土台までの間を外周基礎の全周にわたって連続的に断熱することが可能となる。
【００１０】
本発明の建物の断熱構造は、第２の観点では、建築物を支持する外周基礎と、前記外周基礎上に設置された基礎パッキンと、前記基礎パッキン上に設置された土台とを備えた建物の断熱構造であって、前記外周基礎の屋外側又は屋内側の側面を覆う基礎断熱材と、前記基礎パッキンの屋外側又は屋内側の側面を覆う柔軟性を有するパッキン断熱材とを有し、前記パッキン断熱材は、前記基礎パッキンの前記側面及び前記基礎断熱材の上面に押圧変形された状態で設置されている。
【００１１】
また、本発明の建物の断熱構造は、第３の観点では、建築物を支持する外周基礎と、前記外周基礎上に設置された基礎パッキンと、前記基礎パッキン上に設置された土台とを備えた建物の断熱構造であって、前記外周基礎の屋外側の側面を覆う基礎断熱材と、前記基礎パッキンの屋外側の側面を覆う柔軟性を有するパッキン断熱材と、前記土台の屋外側の側面に取付けられ、水切り材を取り付けるための取付部材とを有し、前記パッキン断熱材は、前記取付部材の下面に押圧されることによって前記基礎パッキンの前記側面及び前記基礎断熱材の上面に押圧変形された状態で設置されている。
【００１２】
これらによると、パッキン断熱材が柔軟性を有し、基礎パッキンの側面及び基礎断熱材の上面に押圧された状態で設置されるため、外周基礎の全周にわたって隙間なく連続的に基礎パッキンの側面を覆うことができるとともに、外周基礎から基礎パッキンまでを実質的に隙間なく連続的に断熱することが可能となる。
【００１３】
また、本発明の建物の断熱構造は、第４の観点では、建築物を支持する外周基礎と、前記外周基礎上に設置された基礎パッキンと、前記基礎パッキン上に設置された土台とを備えた建物の断熱構造であって、前記外周基礎の屋外側又は屋内側の側面を覆う基礎断熱材と、前記基礎パッキンの屋外側又は屋内側の側面を覆う柔軟性を有するパッキン断熱材と、前記外周基礎の上面及び前記基礎断熱材の上面を覆って接着され、先端が前記基礎断熱材の上面端部から突出する蟻返し部材とを有し、前記パッキン断熱材は、前記基礎パッキンの前記側面及び前記蟻返し部材の上面に押圧変形された状態で設置されている。
【００１４】
また、本発明の建物の断熱構造は、第５の観点では、建築物を支持する外周基礎と、前記外周基礎上に設置された基礎パッキンと、前記基礎パッキン上に設置された土台とを備えた建物の断熱構造であって、前記外周基礎の屋外側の側面を覆う基礎断熱材と、前記基礎パッキンの屋外側の側面を覆う柔軟性を有するパッキン断熱材と、前記土台の屋外側の側面に取付けられ、水切り材を取り付けるための取付部材と、前記外周基礎の上面及び前記基礎断熱材の上面を覆って接着され、先端が前記基礎断熱材の上面端部から突出する蟻返し部材とを有し、前記パッキン断熱材は、前記取付部材の下面に押圧されることによって前記基礎パッキンの前記側面及び前記蟻返し部材の上面に押圧変形された状態で設置されている。
【００１５】
これらによると、パッキン断熱材が基礎パッキンの側面及び蟻返し部材の上面に押圧された状態で設置されるため、外周基礎の全周にわたって隙間なく連続的に基礎パッキンの屋外側の側面を覆うことができるとともに、外周基礎から基礎パッキンまでを実質的に隙間なく断熱することが可能となる。さらに、外周基礎と基礎断熱材との間から土台へシロアリが這い上がってくるのを阻止することが可能となる。
【００１６】
また、本発明において、前記パッキン断熱材は、袋状部材と、前記袋状部材に収容されたグラスウールとで構成されていることが好ましい。これにより、パッキン断熱材が押圧されることで変形し易くなり、取り扱いやすい。
【００１７】
また、本発明において、前記基礎パッキンは、前記パッキン断熱材側の側面に凹凸が形成されていることが好ましい。これにより、パッキン断熱材が基礎パッキンに対してずれにくくなる。
【００１８】
また、本発明の留め付け具は、土台の屋外側又は屋内側の側面に取付けられる取付片、及び、前記取付片の下端から前記取付片と交差する方向であって前記土台から離れる方向に延出し、断熱材を押圧するための押圧片を有している。
【００１９】
これによると、例えば、柔軟性のある断熱材を用いることによって、基礎パッキンの側面及び基礎断熱材の上面に押圧変形させた状態で設置することが可能となる。このため、外周基礎の全周にわたって隙間なく連続的に基礎パッキンの側面を断熱材で覆うことができ、基礎の外張断熱構造又は内張断熱構造に好適に使用することができ、外周基礎から基礎パッキンまでを隙間なく断熱することが可能となる。
【００２０】
また、本発明において、前記押圧片の先端から下方に延出するカバー片をさらに有していることが好ましい。これにより、断熱材をより効果的に押圧変形させた状態で設置することが可能となる。
【００２１】
また、本発明において、前記押圧片の下面に前記断熱材を取付けるための粘着層が形成されていることが好ましい。これにより、押圧片の下面に断熱材を簡単に取り付けることが可能となる。
【００２２】
また、本発明において、前記押圧片の下面には、柔軟性を有する前記断熱材が取り付けられており、前記断熱材は、その一部が前記取付片よりも前記離れる方向とは反対方向に突出していることが好ましい。これにより、留め付け具が、断熱材付き留め付け具となる。
【００２３】
また、本発明において、前記押圧片の下面には、柔軟性を有する前記断熱材が取り付けられており、前記断熱材は、その一部が前記取付片よりも前記離れる方向とは反対方向に突出し、且つ下端が前記カバー片の下端よりも下方に配置されていることが好ましい。これにより、断熱材をより効果的に押圧変形させた状態で設置することが可能となる。
【００２４】
また、本発明において、前記断熱材は、袋状部材と、前記袋状部材に収容されたグラスウールとで構成されていることが好ましい。これにより、断熱材が押圧されることで変形し易くなり、取り扱いやすい。
【発明の効果】
【００２５】
本発明の建物の断熱構造の第１の観点によると、補助断熱材が柔軟性を有し、基礎断熱材と土台との間に押圧変形された状態で設置されるため、外周基礎から土台までの間を外周基礎の全周にわたって隙間なく連続的に断熱することが可能となる。仮に、基礎断熱材が外周基礎の上面よりも上方に突出して設けられていたとしても、外周基礎と土台との間の隙間を効果的に覆うことができ、外周基礎から土台までの間を外周基礎の全周にわたって連続的に断熱することが可能となる。
また、本発明の建物の断熱構造の第２及び第３の観点によると、パッキン断熱材が柔軟性を有し、基礎パッキンの側面及び基礎断熱材の上面に押圧された状態で設置されるため、外周基礎の全周にわたって隙間なく連続的に基礎パッキンの側面を覆うことができるとともに、外周基礎から基礎パッキンまでを実質的に隙間なく連続的に断熱することが可能となる。
また、本発明の建物の断熱構造の第４及び第５の観点によると、パッキン断熱材が基礎パッキンの側面及び蟻返し部材の上面に押圧された状態で設置されるため、外周基礎の全周にわたって隙間なく連続的に基礎パッキンの屋外側の側面を覆うことができるとともに、外周基礎から基礎パッキンまでを実質的に隙間なく断熱することが可能となる。さらに、外周基礎と基礎断熱材との間から土台へシロアリが這い上がってくるのを阻止することが可能となる。
また、本発明の留め付け具によると、例えば、柔軟性のある断熱材を用いることによって、基礎パッキンの側面及び基礎断熱材の上面に押圧変形させた状態で設置することが可能となる。このため、外周基礎の全周にわたって隙間なく連続的に基礎パッキンの側面を断熱材で覆うことができ、基礎の外張断熱構造又は内張断熱構造に好適に使用することができ、外周基礎から基礎パッキンまでを隙間なく断熱することが可能となる。
【図面の簡単な説明】
【００２６】
【図１】本発明の一実施形態に係る留め付け具が採用された建物の概略斜視図である。
【図２】図１に示すII−II線に沿った部分断面図である。
【図３】図２に示すIII−III線に沿った断面図である。
【図４】図２に示す蟻返し部材を示しており、（ａ）は平面図であり、（ｂ）は図４（ａ）に示すIV−IV線に沿った断面図である。
【図５】図２に示す留め付け具を示しており、（ａ）は平面図であり、（ｂ）は図５（ａ）に示すV−V線に沿った断面図である。
【図６】本発明の一実施形態に係る建物の断熱構造の第１変形例を示す要部断面図である。
【図７】本発明の一実施形態に係る建物の断熱構造の第２変形例を示す要部断面図である。
【図８】本発明の一実施形態に係る建物の断熱構造の第３変形例を示す要部断面図である。
【図９】本発明の一実施形態に係る建物の断熱構造の第４変形例を示しており、（ａ）は要部平面図であり、（ｂ）は図９（ａ）に示すIX−IX線に沿った断面図である。
【図１０】（ａ）は図９に示す留め付け具本体の斜視図であり、（ｂ）は図９に示す留め付け具の側面図である。
【図１１】図９に示すカバー部材を示しており、（ａ）は斜視図であり、（ｂ）は側面図である。
【発明を実施するための形態】
【００２７】
以下、本発明の一実施形態に係る留め付け具１を基礎外張断熱構造に採用したときの建物１０１の断熱構造１００の一例について、図１〜図５を参照しつつ以下に説明する。
【００２８】
本実施形態における建物１０１は、図１に示すように、図中二点鎖線で示す建築物１０２、建築物１０２を支持する基礎１０３、複数の基礎パッキン１１０及び複数の土台１２０などを有する。基礎１０３は、地面から上方に立ち上がって形成された、外周基礎１０４と、内側基礎１０５とを有する。外周基礎１０４は、基礎１０３の外周に形成された環状の基礎である。内側基礎１０５は、外周基礎１０４の内側に形成された基礎である。
【００２９】
本実施形態における建物１０１の断熱構造１００は、図１及び図２に示すように、外周基礎１０４近傍における断熱構造であり、外周基礎１０４と、外周基礎１０４上に設置された基礎パッキン１１０と、基礎パッキン１１０上に設置された木製の土台１２０と、基礎断熱材１０６と、留め付け具１と、蟻返し部材１０とで構成されている。基礎パッキン１１０は、図１に示すように、外周基礎１０４のみならず、内側基礎１０５にも設置されている。つまり、基礎パッキン１１０は、基礎１０３上全体に設置されるものである。また、基礎パッキン１１０は、基礎１０３の延在方向に沿って複数並べて配置されている。なお、外周基礎１０４上に配置された複数の基礎パッキン１１０は、互いに密着して配置されている。土台１２０も、基礎パッキン１１０を介して基礎１０３上全体に設置されている。
【００３０】
基礎パッキン１１０は、図２及び図３に示すように、合成樹脂から構成された板状部材であり、図２中紙面垂直方向（図３（ａ）中左右方向）に長尺に延在している。つまり、基礎パッキン１１０は、基礎１０３の延在方向に沿って長尺に延在している。
【００３１】
基礎パッキン１１０は、図３に示すように、屋外側の側面１１０ａ及び屋内側の側面１１０ｂに複数の凹部１１１がその延在方向に沿って並んで形成されている。つまり、基礎パッキン１１０の両側面１１０ａ，１１０ｂに凹凸が形成されている。また、基礎パッキン１１０には、基礎１０３に形成されたアンカーボルト（不図示）を挿通するためのアンカーボルト挿通孔１１２が複数形成されている。
【００３２】
基礎断熱材１０６は、図２に示すように、矩形状断面を有しており、外周基礎１０４の屋外側の側面１０４ａの全体を覆うように配置されている。また、基礎断熱材１０６は、発泡樹脂系の断熱材であり、例えば、板状のポリスチレンフォームやウレタンフォームなど公知のものを採用することができる。
【００３３】
蟻返し部材１０は、図２及び図４に示すように、合成樹脂から構成された板状部材であり、図２中紙面垂直方向（図４（ａ）中左右方向）に長尺に延在している。つまり、蟻返し部材１０は、図３に示すように、外周基礎１０４の延在方向（図３中左右方向）に沿って長尺に延在している。蟻返し部材１０は、図２に示すように、基礎パッキン１１０の屋外側において、基礎パッキン１１０と並べて配置されており、外周基礎１０４の上面１０４ｂと基礎断熱材１０６の上面１０６ｂ上に配置されている。
【００３４】
蟻返し部材１０の下面１０ａには、図４（ｂ）に示すように、接着層１１が設けられている。蟻返し部材１０は、接着層１１によって外周基礎１０４の上面１０４ｂと基礎断熱材１０６の上面１０６ｂを覆って接着されている。また、蟻返し部材１０は、図２に示すように、先端（左端）が基礎断熱材１０６の上面１０６ｂの外側端部（左側端部）よりも外側（外周基礎１０４から離れる方向の外側）に突出して配置されている。このような蟻返し部材１０により、外周基礎１０４と基礎断熱材１０６との間から土台１２０へシロアリが這い上がっていくのを阻止することが可能となる。
【００３５】
留め付け具１は、図２及び図５に示すように、留め付け具本体２と、パッキン断熱材３とを有する、断熱材付き留め付け具である。留め付け具本体２は、合成樹脂の薄板から構成されており、図２中紙面垂直方向（図５（ａ）中左右方向）に、例えば１３８０ｍｍの長尺に延在している。つまり、外周基礎１０４の延在方向に沿って延在している。留め付け具本体２は、図２及び図５（ｂ）に示すように、土台１２０の屋外側の側面１２０ａに取り付けられる取付片４と、取付片４の下端から水平方向であって土台１２０から離れる方向（屋外側に向かう方向又は図５（ｂ）中左方）に延出する押圧片５と、押圧片５の先端（図中左端）から下方に延出するカバー片６とを有する。なお、押圧片５は、取付片４に対して交差する方向であれば、水平方向から若干傾いた方向に延出していてもよい。また、本実施形態における取付片４及びカバー片６は、垂直に延在しているが、これらも垂直方向に対して多少傾いていてもよい。さらに、取付片４の中途位置には、留め付け具１を土台１２０にネジ又は釘で取り付けるときの作業を容易とするために、長さ方向（図５（ｂ）中紙面垂直方向）に沿う凹部（細溝）４ａが設けられている。
【００３６】
図５（ｂ）に示すように、押圧片５の下面５ａには、２つの粘着層７が形成されている。粘着層７は、図５（ａ）に示すように、左右方向（留め付け具本体２の長手方向）において、押圧片５の全長に亘って延在している。また、粘着層７は、互いに離隔して配置されている。これら粘着層７によって、押圧片５の下面５ａにパッキン断熱材３が取り付けられている。これにより、押圧片５の下面５ａにパッキン断熱材３を簡単に取り付けることが可能となる。なお、粘着層７は、押圧片５の下面５ａ全体に形成されていてもよいし、左右方向に断続的に形成されていてもよい。
【００３７】
パッキン断熱材（補助断熱材）３は、図５（ｂ）に示すように、比較的薄い合成樹脂フィルムから構成された袋状部材３ａと、繊維系の断熱材であるグラスウール３ｂとを有している。袋状部材３ａは、図５（ａ）に示すように、左右方向に長尺に延在している。グラスウール３ｂは、袋状部材３ａ内に収容されており、パッキン断熱材３は、柔軟性を有している。この構成により、パッキン断熱材３は押圧されることで変形し易くなり、取り扱い易くなる。なお、本実施形態においては、グラスウール３ｂを採用したが、パッキン断熱材３が柔軟性を有しておれば、例えば、発泡系の断熱材である発泡ウレタンフォームなどの発泡樹脂フォームを採用してもよい。
【００３８】
パッキン断熱材３は、図５（ｂ）に示すように、右側端部（屋内側端部）が取付片４よりも水平方向であって図中右方（図２中においては、土台１２０に近づく方向）に突出している。また、パッキン断熱材３は、その下端がカバー片６の下端よりも下方に配置されている。また、パッキン断熱材３は、留め付け具１が土台１２０の側面１２０ａに取り付けられたときに、蟻返し部材１０と押圧片５とによって上下方向に圧縮される程度の厚みを有している。このように、パッキン断熱材３が構成されていることにより、図２に示すように、留め付け具１が土台１２０の側面１２０ａに取り付けられた状態では、パッキン断熱材３が効果的に押圧変形した状態で設置される。より詳細には、パッキン断熱材３が、押圧片５によって上方への移動が規制されることで、蟻返し部材１０の上面１０ｂに押圧されることとなる。換言すると、パッキン断熱材３は、押圧部材としての押圧片５によって蟻返し部材１０の上面１０ｂに押圧され、押圧変形した状態で設置される。さらに、パッキン断熱材３は、図３に示すように、カバー片６によってその屋外側への移動が規制されることで、基礎パッキン１１０の側面１１０ａに押圧されることとなる。換言すると、パッキン断熱材３は、カバー片６によって、基礎パッキン１１０の側面１１０ａに押圧され、押圧変形した状態で設置される。
【００３９】
また、このとき、基礎パッキン１１０の側面１１０ａが凹凸形状を有している。このため、パッキン断熱材３の一部が凹部１１１内に侵入し、パッキン断熱材３が基礎パッキン１１０に対して基礎１０３の延在方向（図３中左右方向）に横ずれしにくくなる。なお、留め付け具１には、図２に示すように、雨水などの浸入を防ぐための、公知の水切り材２０が取り付けられている。本実施形態における水切り材２０は、留め付け具本体２のように屈曲断面形状を有しており、外周基礎１０４の延在方向に沿って長尺に延在している。留め付け具１と水切り材２０、留め付け具１と土台１２０は、釘、ネジ、接着剤などで互いに固定されておればよい。
【００４０】
また、パッキン断熱材３は、図５に示すように、左右方向において、その両端が押圧片５よりも外側に突出して形成されている。このため、留め付け具１が左右方向（すなわち、外周基礎１０４の延在方向）に沿って並べて配置されたときに（すなわち、隣接する留め付け具１の取付片４同士を近接させて留め付け具１を並べたときに）、隣接する留め付け具１のパッキン断熱材３間に隙間が生じるのを抑制することができる。
【００４１】
以上に述べたように、本実施形態の建物１０１の断熱構造１００によると、パッキン断熱材３が基礎パッキン１１０の側面１１０ａ及び蟻返し部材１０の上面１０ｂに押圧された状態で設置されるため、外周基礎１０４の全周にわたって隙間なく連続的に基礎パッキン１１０の側面１１０ａを覆うことができるとともに、外周基礎１０４の上面に不陸があっても、外周基礎１０４から基礎パッキン１１０までを実質的に隙間なく断熱することが可能となる。
【００４２】
留め付け具１は、基礎パッキン１１０の側面１１０ａ及び蟻返し部材１０を介して基礎断熱材１０６の上面１０６ｂと対向する位置に配置されたパッキン断熱材３を、留め付け具本体２で基礎パッキン１１０の側面１１０ａ及び蟻返し部材１０の上面１０ｂに押圧変形させた状態で設置することが可能となる。このため、外周基礎１０４の全周にわたって隙間なく連続的に基礎パッキン１１０の側面１１０ａをパッキン断熱材３で覆うことができ、基礎の外張断熱構造に好適に使用することができるとともに、外周基礎１０４から基礎パッキン１１０までを隙間なく断熱することが可能となる。
【００４３】
また、留め付け具１が押圧片５に加えてカバー片６を有していることで、上述したようにパッキン断熱材３を、基礎パッキン１１０の側面１１０ａ及び蟻返し部材１０の上面１０ｂに、より効果的に押圧変形させた状態で設置することが可能となる。
【００４４】
上述の実施形態における留め付け具１の留め付け具本体２は、カバー片６を有していたが、特にカバー片６がなくてもよい。この場合においても、パッキン断熱材３を基礎パッキン１１０の側面１１０ａ及び蟻返し部材１０の上面１０ｂに押圧することが可能となる。
【００４５】
また、上述の実施形態においては、蟻返し部材１０が設けられていたが、蟻返し部材１０が設けられていなくてもよい。この場合、パッキン断熱材３が留め付け具１によって、蟻返し部材１０の上面１０ｂに代えて基礎断熱材１０６の上面１０６ｂに押圧される。このため、上述と同様に、外周基礎１０４の全周にわたって隙間なく連続的に基礎パッキン１１０の側面１１０ａを覆うことができるとともに、外周基礎１０４から基礎パッキン１１０までを実質的に隙間なく連続的に断熱することが可能となる。
【００４６】
また、留め付け具１に粘着層７が設けられていなくてもよい。この場合、留め付け具１とパッキン断熱材３とが分離されたものとなり、留め付け具１が実質的に留め付け具本体２となり、基礎パッキン１１０の側面１１０ａ及び蟻返し部材１０の上面１０ｂ又は基礎断熱材１０６の上面１０６ｂ上にパッキン断熱材３を押圧変形させて設置することができる。
【００４７】
また、パッキン断熱材３は、その一部が取付片４よりも水平方向であって図５（ｂ）中右方に突出していなくてもよい。この場合、パッキン断熱材３と基礎パッキン１１０の側面１１０ａとの間に隙間が生じることがあるが、パッキン断熱材３と蟻返し部材１０又は基礎断熱材１０６との間には隙間がなくなるので、断熱を維持することができる。
【００４８】
続いて、建物の断熱構造の第１〜第４変形例について、図６〜図１１を参照しつつ以下に説明する。なお、上述の実施形態と同様なものに関しては同符号で示し、説明を省略する。
【００４９】
第１変形例における建物の断熱構造２００は、上述の留め付け具１に代えて設けられた取付部材２０１と、上述の外周基礎１０４、基礎パッキン１１０、土台１２０、基礎断熱材１０６、パッキン断熱材３、及び、蟻返し部材１０で構成されている。なお、パッキン断熱材３は、上述の留め付け具１から分離されたものである。
【００５０】
取付部材２０１は、図６に示すように、雨水などの浸入を防ぐための、公知の水切り材２０２を取り付けるためのものである。なお、本実施形態における水切り材２０２も、上述の水切り材２０のように屈曲断面形状を有しており、外周基礎１０４の延在方向に沿って長尺に延在している。
【００５１】
取付部材２０１は、正方形断面形状を有し、図６中紙面垂直方向に長尺に延在する角柱部材である。取付部材２０１は、外周基礎１０４の延在方向に沿って延在している。取付部材２０１は、土台１２０の側面１２０ａに取り付けられている。また、取付部材２０１は、下面２０１ａでパッキン断熱材３を蟻返し部材１０の上面１０ｂに押圧することが可能なように、側面１２０ａに取り付けられている。つまり、取付部材２０１は押圧部材であり、パッキン断熱材３は、取付部材２０１の下面２０１ａに押圧されることによって基礎パッキン１１０の側面１１０ａ及び蟻返し部材１０の上面１０ｂに押圧変形された状態で設置される。なお、取付部材２０１と水切り材２０２、取付部材２０１と土台１２０は、釘、ネジ、接着剤などで互いに固定されておればよい。
【００５２】
以上に述べたように、第１変形例の建物の断熱構造２００によると、パッキン断熱材３が基礎パッキン１１０の側面１１０ａ及び蟻返し部材１０の上面１０ｂに押圧された状態で設置されるため、上述の実施形態と同様に、外周基礎１０４の全周にわたって隙間なく連続的に基礎パッキン１１０の側面１１０ａを覆うことができるとともに、外周基礎１０４から基礎パッキン１１０までを隙間なく断熱することが可能となる。
【００５３】
第２変形例における建物の断熱構造３００は、図７に示すように、第１変形例の断熱構造２００から取付部材２０１と水切り材２０２とを取り外したものとほぼ同様の構成を有する。この断熱構造３００においては、パッキン断熱材３を押圧しつつ接着する接着テープなどから構成された押圧部材３０１を有している。これにより、パッキン断熱材３は、押圧部材３０１で押圧されることによって基礎パッキン１１０の側面１１０ａ及び蟻返し部材１０の上面１０ｂに押圧変形された状態で設置される。
【００５４】
以上に述べたように、第２変形例の建物の断熱構造３００においても、パッキン断熱材３が基礎パッキン１１０の側面１１０ａ及び蟻返し部材１０の上面１０ｂに押圧された状態で設置されるため、上述の実施形態と同様に、外周基礎１０４の全周にわたって隙間なく連続的に基礎パッキン１１０の側面１１０ａを覆うことができるとともに、外周基礎１０４から基礎パッキン１１０までを隙間なく断熱することが可能となる。
【００５５】
第３変形例における建物の断熱構造４００は、本発明の留め付け具１を基礎内張断熱構造に適用したときの一例で、図８に示すように、外周基礎１０４と、外周基礎１０４上に設置された基礎パッキン１１０と、基礎パッキン１１０上に設置された土台１２０とを備え、外周基礎１０４の屋内側の側面１０４ｃを覆う基礎断熱材１０６と、外周基礎１０４の上面１０４ｂ及び基礎断熱材１０６の上面１０６ｂを覆って接着され、先端が基礎断熱材１０６の上面１０６ｂの内側端部から内側に突出する蟻返し部材１０と、基礎パッキン１１０の屋内側の側面１１０ｂと蟻返し部材１０の上面１０ｂを覆うように取り付けられた留め付け具１とを有する。また、土台１２０の屋外側側面１２０ａには、水切り材２０２が取り付けられている。
【００５６】
留め付け具１は、留め付け具本体２の取付片４を、土台１２０の屋内側側面１２０ｂの下部に取り付けることによって、パッキン断熱材３を基礎パッキン１１０の内側側面１１０ｂ及び蟻返し部材１０の上面１０ｂに押圧変形した状態で設置されている。
【００５７】
以上に述べたように、第３変形例の建物の断熱構造４００においても、パッキン断熱材３が基礎パッキン１１０の側面１１０ｂ及び基礎断熱材１０６の上面１０６ｂに押圧された状態で設置されるため、外周基礎１０４の屋内側全周にわたって外周基礎１０４から基礎パッキン１１０までを実質的に隙間なく連続的に断熱することが可能となる。
【００５８】
第４変形例における建物の断熱構造５００は、上述の留め付け具１に代えて設けられた留め付け具５０１と、上述の外周基礎１０４、基礎パッキン１１０、土台１２０、基礎断熱材１０６、及び、蟻返し部材１０で構成されている。
【００５９】
留め付け具５０１は、図９及び図１０に示すように、留め付け具本体５０２と、上述のパッキン断熱材３とを有する、断熱材付き留め付け具である。留め付け具本体５０２は、合成樹脂の薄板から構成されており、図９（ａ）中左右方向に、例えば１３８０ｍｍの長尺に延在している。つまり、外周基礎１０４の延在方向に沿って延在している。留め付け具本体５０２は、図９及び図１０に示すように、土台１２０の屋内側の側面１２０ｂに取り付けられる取付片５０４と、押圧片５０５と、カバー片５０６とを有する。
【００６０】
取付片５０４は、図１０（ｂ）に示すように、垂直に延在する垂直部５０４ａと、垂直部５０４ａの上端部から水平に延在する水平部５０４ｂとを有する。水平部５０４ｂの先端には、下方に突出する突起５０４ｃが形成されている。垂直部５０４ａの途中部位には、留め付け具５０１を土台１２０にネジ又は釘で取り付けるときの作業を容易とするために、長さ方向（図１０（ｂ）中紙面垂直方向）に沿う凹部（細溝）５０４ｄが設けられている。
【００６１】
押圧片５０５は、図９（ｂ）に示すように、取付片５０４の下端から水平方向に対して若干下方に傾いた方向であって土台１２０から離れる方向（屋内側に向かう方向又は図中左方）に延出している。カバー片５０６は、押圧片５０５の先端（図中左端）から下方に延出している。カバー片５０６は、図９（ｂ）及び図１０（ｂ）に示すように、下方に向かって延在しつつ湾曲する第１部分５０６ａと、第１部分５０６ａの下端から略水平方向であって土台１２０に近づく方向に延出する第２部分５０６ｂとを有している。第２部分５０６ｂには、段差５０６ｃが形成されている。
【００６２】
本変形例におけるパッキン断熱材３は、図１０（ｂ）に示すように、押圧片５０５とカバー片５０６とで挟持されることで、留め付け具本体５０２に保持されており、留め付け具本体５０２に対して着脱可能に構成されている。また、パッキン断熱材３は、留め付け具本体５０２に保持された状態において、図１０（ｂ）に示すように、右側端部（屋外側端部）が取付片５０４よりも水平方向であって図中右方（図９（ｂ）中においては、土台１２０に近づく方向）に突出している。また、パッキン断熱材３は、その下端がカバー片５０６の下端よりも下方に配置されている。また、パッキン断熱材３は、留め付け具５０１が土台１２０の側面１２０ｂに取り付けられたときに、蟻返し部材１０と押圧片５０５とによって上下方向に圧縮される程度の厚みを有している。このようにパッキン断熱材３が構成されていることにより、図９（ｂ）に示すように、留め付け具５０１が土台１２０の側面１２０ｂに取り付けられた状態では、上述の実施形態と同様に、パッキン断熱材３が効果的に押圧変形した状態で設置される。なお、パッキン断熱材３を両面粘着テープや粘着剤を用いて留め付け具本体５０２に取り付けてもよい。
【００６３】
本変形例における断熱構造５００においては、図９（ａ）に示すように、長さ方向（左右方向）に沿って突き合わされた２つの留め付け具５０１を部分的に覆いつつ両留め付け具５０１間のつなぎ目５２０を覆い隠すカバー部材５１２を有している。カバー部材５１２は、合成樹脂の薄板から構成されており、図９（ａ）中の左右方向の長さが留め付け具５０１よりも短く構成されている。
【００６４】
カバー部材５１２は、図９及び図１１に示すように、引っ掛け部５１４と、平坦部５１５と、湾曲部５１６とを有する。引っ掛け部５１４は、垂直且つ図９中左右方向に延在し、取付片５０４の垂直部５０４ａ、水平部５０４ｂ、突起５０４ｃ及び押圧片５０５によって囲まれた空間に嵌め込むことが可能に構成されている。平坦部５１５は、図９（ｂ）及び図１１（ｂ）に示すように、引っ掛け部５１４の下端から水平方向に対して若干下方に傾いて延在している。湾曲部５１６は、図９（ｂ）及び図１１（ｂ）に示すように、平坦部５１５の先端（図中左端）から下方に向かって延在しつつ湾曲している。湾曲部５１６は、図９（ｂ）に示すように、その内側部分に、留め付け具５０１のカバー片５０６の第１部分５０６ａがちょうど嵌まり、先端が段差５０６ｃに収まるように構成されている。
【００６５】
カバー部材５１２は、留め付け具５０１を土台１２０の側面１２０ｂに取り付けた後に、図９（ａ）中左右方向に突き合わされた２つの留め付け具５０１のつなぎ目（境界部）５２０を覆い隠すように、２つの留め付け具５０１に跨って容易に取り付けられる。より詳細には、カバー部材５１２の引っ掛け部５１４を、留め付け具５０１の取付片５０４の垂直部５０４ａ、水平部５０４ｂ、突起５０４ｃ及び押圧片５０５によって囲まれた空間に嵌め込み、湾曲部５１６を留め付け部５０１のカバー片５０６の第１部分５０６ａの外側部分に嵌め込む。このとき、引っ掛け部５１４の上端が突起５０４ｃに引っ掛かり、カバー部材５１２が２つの留め付け具５０１に跨った状態で保持される。こうして、カバー部材５１２によって２つの留め付け具５０１のつなぎ目５２０が覆い隠され、つなぎ目５２０に僅かな隙間が生じて２つの留め付け具５０１が取り付けられていたとしても、複数の留め付け具５０１の取付状態の見た目がよくなる。さらに、２つの留め付け具５０１間（つなぎ目５２０）からパッキン断熱材３がはみ出ていても、カバー部材５１２によって覆い隠すことが可能となり、断熱効果を効果的に補完することができる。また、留め付け具５０１を土台１２０に取り付けた後に、カバー部材５１２をワンタッチで嵌め込んで取り付けることができるので、カバー部材５１２の取り付けの作業効率が極めて高い。
【００６６】
以上に述べたように、第４変形例の建物の断熱構造５００によると、パッキン断熱材３が基礎パッキン１１０の側面１１０ｂ及び蟻返し部材１０の上面１０ｂに押圧された状態で設置されるため、上述の実施形態と同様に、外周基礎１０４の全周にわたって隙間なく連続的に基礎パッキン１１０の側面１１０ｂを覆うことができるとともに、外周基礎１０４から基礎パッキン１１０までを隙間なく断熱することが可能となる。なお、第４変形例は本発明を基礎内張り断熱構造に適用した例を示したが、留め付け具５０１、カバー部材５１２及び蟻返し部材１０を基礎外張り断熱構造に適用することもできる。
【００６７】
以上、本発明の好適な実施の形態について説明したが、本発明は上述の実施の形態に限られるものではなく、特許請求の範囲に記載した限りにおいて様々な変更が可能なものである。例えば、上述の留め付け具１，５０１の留め付け具本体２，５０２にはカバー片６，５０６を設けているが、本発明の押圧部材としての留め付け具本体２，５０２においては、押圧片５，５０５の下面にパッキン断熱材３が取り付けられていればカバー片６，５０６がなくてもかまわない。一方、カバー片６，５０６を設けることで、パッキン断熱材３を留め付け具本体２，５０２の押圧片５の下面に接着しておかなくてもかまわない。また、上述の留め付け具本体２，５０２の取付片４，５０４、押圧片５，５０５及びカバー片６，５０６はいずれも板状とされるが、軽量化或いはパッキン断熱材３の噛み込みによる位置安定を図るべく、適宜スリットや開口、或いは内面に凹凸や突起を形成してもよい。
【符号の説明】
【００６８】
１  留め付け具
３  パッキン断熱材（補助断熱材）
３ａ  袋状部材
３ｂ  グラスウール
４，５０４  取付片
５，５０５  押圧片
６，５０６  カバー片
７  粘着層
１０  蟻返し部材
１０ｂ  上面
２０，２０２  水切り材
１００，２００，３００，４００  断熱構造
１０１  建物
１０２  建築物
１０４  外周基礎
１０４ａ，１０４ｃ  側面
１０６  基礎断熱材
１０６ｂ  上面
１１０  基礎パッキン
１１０ａ，１１０ｂ  側面
１２０  土台
２０１  取付部材
２０１ａ  下面
【図１】
2017172181.tif 000003
【図２】
2017172181.tif 000004
【図３】
2017172181.tif 000005
【図４】
2017172181.tif 000006
【図５】
2017172181.tif 000007
【図６】
2017172181.tif 000008
【図７】
2017172181.tif 000009
【図８】
2017172181.tif 000010
【図９】
2017172181.tif 000011
【図１０】
2017172181.tif 000012
【図１１】
2017172181.tif 000013